(57)【特許請求の範囲】
【請求項１】
１つのハウジングに第１メモリカードと第２メモリカードの少なくとも２種類を挿抜可能なカード挿入口を有する複合コネクタにおいて、前記ハウジングは、第１コンタクト用ハウジングと、この第１コンタクト用ハウジングの１つの辺に一体に連続する第２コンタクト用ハウジングを有し、前記第１コンタクト用ハウジングに、第１カード挿入口となる隙間を持って第１カード用導電性カバーを被せ、前記第２コンタクト用ハウジングに、第２カード挿入口となる隙間を持って第２カード用導電性カバーを被せ、前記第１カード用導電性カバーの外側面を前記第２メモリカードの摺動面とし、この摺動面を前記第２カード挿入口に臨ませて構成したことを特徴とするメモリカード用複合コネクタ。
【請求項２】
１つのハウジングに第１メモリカードと第２メモリカードの少なくとも２種類を挿抜可能なカード挿入口を有する複合コネクタにおいて、前記ハウジングは、前記第１メモリカードと略同一の大きさの薄板状の第１コンタクト用ハウジングと、この第１コンタクト用ハウジングの１つの辺に段部を持って一体に連続する第２コンタクト用ハウジングを有し、前記第１コンタクト用ハウジングの上面に、天板部，側板部，背板部からなる第１カード用導電性カバーを、この第１カード用導電性カバーの天板部と前記第１コンタクト用ハウジングとの隙間が第１カード挿入口となるように被せ、前記第２コンタクト用ハウジングの上面に、天板部，側板部，背板部からなる第２カード用導電性カバーを、この第２カード用導電性カバーの天板部と前記第２コンタクト用ハウジングとの隙間が第２カード挿入口となるように被せ、前記第１カード用導電性カバーの天板部を前記第２メモリカードの摺動面とし、この摺動面を前記第２カード挿入口に臨ませて構成したことを特徴とするメモリカード用複合コネクタ。
【請求項３】
第１コンタクト用ハウジングは、長方形の薄板からなり、この第１コンタクト用ハウジングに穿設した嵌合孔に、第１メモリカードの第１カード電極に接続される複数個の第１コンタクトを取り付けたコンタクト取り付け板を嵌め込み固定し、この第１コンタクト用ハウジングの長辺側に第１カード挿入口を配置し、この第１コンタクト用ハウジングの短辺側に第２カード挿入口を配置したことを特徴とする請求項１又は２記載のメモリカード用複合コネクタ。
【請求項４】
第１コンタクト用ハウジングの嵌合孔に嵌め込んだコンタクト取り付け板は、第１コンタクト用ハウジングとコンタクト取り付け板に連続して形成した連結溝に連結プレートを圧入して固定するようにしたことを特徴とする請求項３記載のメモリカード用複合コネクタ。
【請求項５】
１つのハウジングに第１メモリカード，第２メモリカード，第３メモリカードの３種類を挿抜可能なカード挿入口を有する複合コネクタにおいて、前記ハウジングは、第１コンタクト用ハウジングと、この第１コンタクト用ハウジングの１つずつの辺にそれぞれ一体に連続する第２コンタクト用ハウジングと第３コンタクト用ハウジングを有し、前記第１コンタクト用ハウジングに、第１カード挿入口となる隙間を持って第１カード用導電性カバーを被せ、この第１カード用導電性カバーの外側面を前記第２メモリカードと第３メモリカードの２種類の摺動面とし、前記第２コンタクト用ハウジングと第３コンタクト用ハウジングの上面に、それぞれ第２カード挿入口と第３カード挿入口となる隙間をもって第２カード用導電性カバーと第３カード用導電性カバーを被せて構成したことを特徴とするメモリカード用複合コネクタ。
【請求項６】
１つのハウジングに第１メモリカード，第２メモリカード，第３メモリカードの３種類を挿抜可能なカード挿入口を有する複合コネクタにおいて、前記ハウジングは、第１コンタクト用ハウジングと、この第１コンタクト用ハウジングの１つの辺に一体に連続する第２コンタクト用ハウジングと、この第２コンタクト用ハウジングの１つの辺に一体に連続する第３コンタクト用ハウジングを有し、前記第１コンタクト用ハウジングに、第１カード挿入口となる隙間を持って第１カード用導電性カバーを被せ、前記第２コンタクト用ハウジングに、第２カード挿入口となる隙間を持って第２カード用導電性カバーを被せ、前記第３コンタクト用ハウジングに、第３カード挿入口となる隙間を持って第３カード用導電性カバーを被せ、前記第１カード用導電性カバーの外側面を前記第２メモリカードの摺動面とし、この摺動面を前記第２カード挿入口に臨ませて構成し、前記第２カード用導電性カバーの外側面を前記第３メモリカードの摺動面とし、この摺動面を前記第３カード挿入口に臨ませて構成したことを特徴とするメモリカード用複合コネクタ。
【発明の詳細な説明】
【技術分野】
【０００１】
本発明は、サイズや形状の異なる複数種類のメモリカードに対応でき、搭載する基板の占有面積を可能な限り小さくしたメモリカード用複合コネクタに関するものである。
【背景技術】
【０００２】
基板１０に搭載した複合コネクタ１１であって、サイズや形状の異なる複数種類のメモリカードに対応できるものとして図７、図８に示すものが知られている（特許文献１）。
図７に示す複合コネクタ１１は、ハウジング１２に、ともに水平方向に挿抜する下段コネクタ１３と上段コネクタ１４とを２段重ね構造としたもので、下段コネクタ１３には、第１メモリカード１５が挿抜され、上段コネクタ１４には、第１メモリカード１５と直交する方向に第２メモリカード１６が挿抜される。これらの第１メモリカード１５と第２メモリカード１６は、その先端の電極部分を先にして複合コネクタ１１に挿入された状態で略半分のａ部分とｂ部分がハウジング１２から突出する。
【０００３】
図８に示す複合コネクタ１１は、ハウジング１２に、水平方向に挿抜する下段コネクタ１３と垂直方向に挿抜する上段コネクタ１４とを２段重ね構造としたもので、下段コネクタ１３には、第１メモリカード１５が水平方向に挿抜され、上段コネクタ１４には、垂直方向に第２メモリカード１６が挿抜される。これらのうち第１メモリカード１５は、その先端の電極部分を先にして複合コネクタ１１に挿入された状態で略半分のａ部分がハウジング１２から突出する。第２メモリカード１６は、上段コネクタ１４に嵌め込み、係止具や蓋（ともに図示せず）で保持される。
【特許文献１】特開２００１−２９７８１０号公報。
【発明の開示】
【発明が解決しようとする課題】
【０００４】
図７に示す複合コネクタ１１は、下段コネクタ１３と上段コネクタ１４に第１メモリカード１５と第２メモリカード１６が挿入されると、これらの第１メモリカード１５と第２メモリカード１６は、略半分のａ部分とｂ部分がハウジング１２から突出するため、突出による大きな第１カード基板占有部１７と第２カード基板占有部１８が発生し、基板１０の実装部に他の部品を配置することが困難か、背の高い部品を配置することができないという問題があった。
また、図８に示す複合コネクタ１１は、第１メモリカード１５と第２メモリカード１６のうち、第２メモリカード１６による第２カード基板占有部１８が解消され、それだけ小型化が可能である。しかし、この例では、第２メモリカード１６が上段コネクタ１４に垂直方向に挿抜するので、第２メモリカード１６を上段コネクタ１４に挿抜するための係脱機構が複雑になり、場合によっては、第２メモリカード１６を上から抑えるための蓋機構が必要になるなど、構造が複雑になるという問題があった。
本発明は、搭載する基板に対して複数のメモリカードによる基板占有部分を可能な限り小さくした複合コネクタを得ることを目的とするものである。
【課題を解決するための手段】
【０００５】
本発明によるメモリカード用複合コネクタは、１つのハウジング２１に第１メモリカード２４と第２メモリカード２５の少なくとも２種類を挿抜可能なカード挿入口を有する複合コネクタ２０において、前記ハウジング２１は、第１コンタクト用ハウジング２７と、この第１コンタクト用ハウジング２７の１つの辺に一体に連続する第２コンタクト用ハウジング２８を有し、前記第１コンタクト用ハウジング２７に、前記第１メモリカード２４の挿抜される第１カード挿入口４５となる隙間を持って第１カード用導電性カバー２２を被せ、この第１カード用導電性カバー２２の外側面を前記第２メモリカード２５の摺動面とし、前記第２コンタクト用ハウジング２８に、前記第２メモリカード２５の挿抜される第２カード挿入口５３となる隙間を持って第２カード用導電性カバー２３を被せて構成したことを特徴とする。
【発明の効果】
【０００６】
請求項１記載の発明は、１つのハウジングに第１メモリカードと第２メモリカードの少なくとも２種類を挿抜可能なカード挿入口を有する複合コネクタにおいて、前記ハウジングは、第１コンタクト用ハウジングと、この第１コンタクト用ハウジングの１つの辺に一体に連続する第２コンタクト用ハウジングを有し、前記第１コンタクト用ハウジングに、第１カード挿入口となる隙間を持って第１カード用導電性カバーを被せ、前記第２コンタクト用ハウジングに、第２カード挿入口となる隙間を持って第２カード用導電性カバーを被せ、前記第１カード用導電性カバーの外側面を前記第２メモリカードの摺動面とし、この摺動面を前記第２カード挿入口に臨ませて構成したので、搭載する基板に対する占有部分を可能な限り小さくしてより小型化したメモリカード用複合コネクタを提供することができる。また、基板上での高さの高い部品の搭載に支障がない。
【０００７】
請求項２記載の発明は、１つのハウジングに第１メモリカードと第２メモリカードの少なくとも２種類を挿抜可能なカード挿入口を有する複合コネクタにおいて、前記ハウジングは、前記第１メモリカードと略同一の大きさの薄板状の第１コンタクト用ハウジングと、この第１コンタクト用ハウジングの１つの辺に段部を持って一体に連続する第２コンタクト用ハウジングを有し、前記第１コンタクト用ハウジングの上面に、天板部，側板部，背板部からなる第１カード用導電性カバーを、この第１カード用導電性カバーの天板部と前記第１コンタクト用ハウジングとの隙間が第１カード挿入口となるように被せ、前記第２コンタクト用ハウジングの上面に、天板部，側板部，背板部からなる第２カード用導電性カバーを、この第２カード用導電性カバーの天板部と前記第２コンタクト用ハウジングとの隙間が第２カード挿入口となるように被せ、前記第１カード用導電性カバーの天板部を前記第２メモリカードの摺動面とし、この摺動面を前記第２カード挿入口に臨ませて構成したので、第１コンタクト用ハウジングと第２コンタクト用ハウジングからなるハウジングと、天板部，側板部，背板部からなる第１カード用導電性カバーと、天板部，側板部，背板部からなる第２カード用導電性カバーを主体とする少ない部品点数で構成できる。また、第１カード用導電性カバーと第２カード用導電性カバーをハウジングに取り付ける組み立てがきわめて容易である。
【０００８】
請求項３記載の発明は、第１コンタクト用ハウジングは、長方形の薄板からなり、この第１コンタクト用ハウジングに穿設した嵌合孔に、第１メモリカードの第１カード電極に接続される複数個の第１コンタクトを取り付けたコンタクト取り付け板を嵌め込み固定し、この第１コンタクト用ハウジングの長辺側に第１カード挿入口を配置し、この第１コンタクト用ハウジングの短辺側に第２カード挿入口を配置したので、組み立ての自動化が容易である。
【０００９】
請求項４記載の発明は、第１コンタクト用ハウジングの嵌合孔に嵌め込んだコンタクト取り付け板は、第１コンタクト用ハウジングとコンタクト取り付け板に連続して形成した連結溝に連結プレートを圧入して固定するようにしたので、コンタクト取り付け板は、第１コンタクト用ハウジングの嵌合孔に簡単に、かつ、確実に取り付けできる。
【００１０】
請求項５記載の発明は、１つのハウジングに第１メモリカード，第２メモリカード，第３メモリカードの３種類を挿抜可能なカード挿入口を有する複合コネクタにおいて、前記ハウジングは、第１コンタクト用ハウジングと、この第１コンタクト用ハウジングの１つずつの辺にそれぞれ一体に連続する第２コンタクト用ハウジングと第３コンタクト用ハウジングを有し、前記第１コンタクト用ハウジングに、第１カード挿入口となる隙間を持って第１カード用導電性カバーを被せ、この第１カード用導電性カバーの外側面を前記第２メモリカードと第３メモリカードの２種類の摺動面とし、前記第２コンタクト用ハウジングと第３コンタクト用ハウジングの上面に、それぞれ第２カード挿入口と第３カード挿入口となる隙間をもって第２カード用導電性カバーと第３カード用導電性カバーを被せて構成したので、２段重ねで３種類のメモリカードに対応できる。
【００１１】
請求項６記載の発明は、１つのハウジングに第１メモリカード，第２メモリカード，第３メモリカードの３種類を挿抜可能なカード挿入口を有する複合コネクタにおいて、前記ハウジングは、第１コンタクト用ハウジングと、この第１コンタクト用ハウジングの１つの辺に一体に連続する第２コンタクト用ハウジングと、この第２コンタクト用ハウジングの１つの辺に一体に連続する第３コンタクト用ハウジングを有し、前記第１コンタクト用ハウジングに、第１カード挿入口となる隙間を持って第１カード用導電性カバーを被せ、前記第２コンタクト用ハウジングに、第２カード挿入口となる隙間を持って第２カード用導電性カバーを被せ、前記第３コンタクト用ハウジングに、第３カード挿入口となる隙間を持って第３カード用導電性カバーを被せ、前記第１カード用導電性カバーの外側面を前記第２メモリカードの摺動面とし、この摺動面を前記第２カード挿入口に臨ませて構成し、前記第２カード用導電性カバーの外側面を前記第３メモリカードの摺動面とし、この摺動面を前記第３カード挿入口に臨ませて構成したので、３段重ねで３種類のメモリカードに対応できる。
【発明を実施するための最良の形態】
【００１２】
本発明は、１つのハウジング２１に第１メモリカード２４と第２メモリカード２５の少なくとも２種類を挿抜可能なカード挿入口を有する複合コネクタにおいて、前記ハウジング２１は、第１コンタクト用ハウジング２７と、この第１コンタクト用ハウジング２７の１つの辺に連続する第２コンタクト用ハウジング２８を有し、前記第１コンタクト用ハウジング２７に、第１カード挿入口４５となる隙間を持って第１カード用導電性カバー２２を被せ、この第１カード用導電性カバー２２の外側面を前記第２メモリカード２５の摺動面とし、この摺動面に連続する前記第２コンタクト用ハウジング２８に、第２カード挿入口５３となる隙間を持って第２カード用導電性カバー２３を被せて構成する。
【００１３】
より詳しくは、前記ハウジング２１は、前記第１メモリカード２４と略同一の大きさの薄板状の第１コンタクト用ハウジング２７と、この第１コンタクト用ハウジング２７の１つの辺に段部６６を持って連続する第２コンタクト用ハウジング２８を有し、前記第１コンタクト用ハウジング２７の上面に、天板部３９，側板部４０，背板部４１からなる第１カード用導電性カバー２２を、前記天板部３９と前記第１コンタクト用ハウジング２７の上面の間が第１カード挿入口４５となる隙間を持って被せ、前記第２コンタクト用ハウジング２８の上面に、天板部４８，側板部４９，背板部５０からなる第２カード用導電性カバー２３を、前記天板部４８と前記第２コンタクト用ハウジング２８の上面の間が第２カード挿入口５３となり、かつ、前記第１カード用導電性カバー２２の外側面を前記第２メモリカード４５の摺動面として前記第２コンタクト用ハウジング２８の上面に連続するように隙間を持って被せて構成する。
【００１４】
第１コンタクト用ハウジング２７は、プラスチックなどの絶縁性を有する長方形の薄板が用いられる。この第１コンタクト用ハウジング２７に穿設した嵌合孔２６に、第１メモリカード２４の第１カード電極６４に接続される複数個の第１コンタクト３０を取り付けたコンタクト取り付け板２７ａを嵌め込み固定し、この第１コンタクト用ハウジング２７の長辺側に第１カード挿入口４５を配置し、この第１コンタクト用ハウジング２７の短辺側に第２カード挿入口５３を配置する。
【００１５】
第１コンタクト用ハウジング２７の嵌合孔２６に嵌め込んだコンタクト取り付け板２７ａは、第１コンタクト用ハウジング２７とコンタクト取り付け板２７ａに形成した連結溝６１、６２，６３に連結プレート６０を圧入して固定する。
【００１６】
１つのハウジング２１に、３種類のメモリカード２４，２５ａ，２５ｂを挿抜可能な複合コネクタ２０を構成する場合には、第１カード用導電性カバー２２の外側面を第２メモリカード２５ａ，第３メモリカード２５ｂの２種類の摺動面とすることができる。
【００１７】
１つのハウジングに、３種類のメモリカード２４，２５ａ，２５ｂを挿抜可能な複合コネクタ２０を構成する場合には、第１カード用導電性カバーの外側面を前記第２メモリカードの摺動面とし、第２カード用導電性カバーの外側面を前記第３メモリカードの摺動面として３段重ねで３種類のメモリカードに対応できる。
【実施例１】
【００１８】
以下、本発明の実施例１を図１ないし図４に基づき説明する。
基板１０に搭載される本発明による複合コネクタ２０は、薄板状のハウジング２１と、このハウジング２１の上に第１メモリカード２４が挿入される第１カード挿入口４５を持って被せられる第１カード用導電性カバー２２と、この第１カード用導電性カバー２２の端部に第２メモリカード２５が挿入される第２カード挿入口５３を持って被せられる第２カード用導電性カバー２３とで構成されている。
【００１９】
前記ハウジング２１は、長方形のプラスチック等の絶縁性薄板からなり、大きさは、第１メモリカード２４と略同じか、わずかに大きい程度とする。このハウジング２１の中央部に長方形の嵌合孔２６が穿設され、また、前記ハウジング２１の一つの短辺には、一体に段部６６をもって第２コンタクト用ハウジング２８が形成されている。この第２コンタクト用ハウジング２８には、複数個の係止溝３４が所定間隔で形成されている。
前記ハウジング２１の裏面には、図４に示すように、圧入溝５６，５７が形成され、接触部５８、５９を有するスイッチコンタクト５４，５５が差し込み固定され、また、前記嵌合孔２６の両側に臨ませて連結溝６２，６３が形成されている。
【００２０】
前記嵌合孔２６に嵌め込まれるコンタクト取り付け板２７ａは、長方形のプラスチック等の絶縁性薄板からなり、両側に複数個の係止溝２９が形成され、これらの係止溝２９には、それぞれ第１コンタクト３０が嵌め込み取り付けられている。この第１コンタクト３０は、図２、図３に示すように、第１コンタクト用ハウジング２７のコンタクト取り付け板２７ａの上面から突出する接触部３１と、コンタクト取り付け板２７ａの下面から突出する端子部３２と、係止溝２９に係止されるばね部３３とからなる。前記コンタクト取り付け板２７ａの裏面には、図４に示すように、前記連結溝６２，６３と連続する連結溝６１が形成され、連結プレート６０が嵌め込まれてコンタクト取り付け板２７ａが第１コンタクト用ハウジング２７の嵌合孔２６に嵌合し、固定される。
前記係止溝３４には、それぞれ第２コンタクト３５が嵌め込み取り付けられている。この第２コンタクト３５は、図２、図３に示すように、第２コンタクト用ハウジング２８の上面から突出する接触部３６と、第２コンタクト用ハウジング２８の下面から突出する端子部３７と、係止溝３４に係止されるばね部３８とからなる。
【００２１】
前記第１カード用導電性カバー２２は、導電性金属板などからなり、前記ハウジング２１の上面の１つの長辺が第１カード挿入口４５となるように被せられるもので、天板部３９と、側板部４０と、背板部４１とを有するように折曲形成されている。前記天板部３９の第１カード挿入口４５側に抜き取り切り欠き４３が切り欠き形成され、背板部４１側に押し出し切り欠き４４が切り欠き形成されている。また、一方の側板部４０の下端部と背板部４１の下端部に、第１コンタクト用ハウジング２７に固定するための折り返し片４２が一体に形成されている。前記他方の側板部４０は、前記第２コンタクト用ハウジング２８の段部６６に臨ませて載せられると、天板部３９の上面と第２コンタクト用ハウジング２８の上面が同一面となる。
前記天板部３９の上面には、第１メモリカード２４の挿入方向を示す第１カード用矢印４６と、第２メモリカード２５の挿入方向を示す第２カード用矢印４７が表示されている。
【００２２】
前記第２カード用導電性カバー２３は、導電性金属板などからなり、前記第２コンタクト用ハウジング２８の上面の１つの長辺が第２カード挿入口５３となるように被せられるもので、天板部４８と、側板部４９と、背板部５０とを有するように折曲形成されている。前記天板部４８には、前記係止溝３４に合わせてコンタクト用窓５１が穿設され、また、側板部４０の下端部に、第２コンタクト用ハウジング２８に固定するための折り返し片５２が一体に形成されている。
【００２３】
以上のように構成された各部品の組み立てを説明する。
第１コンタクト用ハウジング２７におけるコンタクト取り付け板２７ａの各係止溝２９に、第１コンタクト３０を嵌め込み係止し、裏面から連結プレート６０を、コンタクト取り付け板２７ａの連結溝６１と、第１コンタクト用ハウジング２７の連結溝６２，６３に連結プレート６０を圧入してコンタクト取り付け板２７ａを第１コンタクト用ハウジング２７に固定的に取り付ける。
第１コンタクト用ハウジング２７の上に第１カード用導電性カバー２２を被せ、折り返し片４２を折り曲げて固定する。すると、第１コンタクト用ハウジング２７の上面と第１カード用導電性カバー２２の天板部３９との間に第１カード挿入口４５が形成される。
第２コンタクト用ハウジング２８の係止溝３４に第２コンタクト３５を嵌め込み係止し、第２コンタクト用ハウジング２８の上に第２カード用導電性カバー２３を被せ、折り返し片５２を折り曲げて固定する。すると、第２コンタクト用ハウジング２８の上面と第２カード用導電性カバー２３の天板部４８との間に第２カード挿入口５３が形成される。
【００２４】
以上のようにして図１のように組み立てられた複合コネクタ２０は、基板１０の上に搭載され、この基板１０に形成されたプリント配線部に、第１コンタクト３０の端子部３２、第２コンタクト３５の端子部３７、スイッチコンタクト５４、５５の端子部、第１カード用導電性カバー２２と第２カード用導電性カバー２３のアース端子部等が電気的に、かつ、機械的に接続される。
【００２５】
図１において、第１メモリカード２４を第１カード用矢印４６の方向に従い第１カード挿入口４５に挿入すると、第１メモリカード２４の下面の第１カード電極６４が第１コンタクト３０の接触部３１に電気的に接続される。第１メモリカード２４を抜き取るときは、第１メモリカード２４が第１コンタクト用ハウジング２７と略同一で、ほとんど第１カード挿入口４５内に収納されているので、抜き取り切り欠き４３，押し出し切り欠き４４に指をかけて第１メモリカード２４を押し出す。
第２メモリカード２５を第２カード挿入口５３に挿入するときは、第１カード用導電性カバー２２の天板部３９が摺動板を兼ねているので、その上を滑らせながら第２カード用矢印４７の方向に従い圧入すると、第２メモリカード２５の先端下面の第２カード電極６５が第２コンタクト３５の接触部３６に電気的に接続される。第２メモリカード２５を抜き取るときは、第２メモリカード２５の一部が第２カード用導電性カバー２３から露出しているので、第２メモリカード２５の両側に指をかけて第２メモリカード２５を抜き取る。
第１メモリカード２４と第２メモリカード２５が複合コネクタ２０に同時に挿入されている場合に、第１カード用導電性カバー２２が両者間の混信を防止し、また、外部からのノイズの混入を防止している。
【実施例２】
【００２６】
実施例１では、第１カード用導電性カバー２２の上に、１つの第２カード用導電性カバー２３を設け、１種類の第２メモリカード２５を摺動しつつ挿抜するようにした。しかし、これに限られるものではなく、第１メモリカード２４の大きさに比較して第２メモリカード２５の大きさが小さいときには、図５に示すように、第１コンタクト用ハウジング２７の両端部に、第２コンタクト用ハウジング２８ａと第２コンタクト用ハウジング２８ｂとを設け、これら第２コンタクト用ハウジング２８ａと第２コンタクト用ハウジング２８ｂの上に、それぞれ第２カード用導電性カバー２３ａと第３カード用導電性カバー２３ｂとを被せて取り付け、第１カード用導電性カバー２２の上で第２メモリカード２５ａと第３メモリカード２５ｂとを摺動しつつ挿抜するようにしてもよい。
【実施例３】
【００２７】
実施例１では、第１カード用導電性カバー２２の上に、１つの第２カード用導電性カバー２３を設け、１種類の第２メモリカード２５を摺動しつつ挿抜するようにした。また、実施例２では、第１コンタクト用ハウジング２７の両端部に、第２コンタクト用ハウジング２８ａと第２コンタクト用ハウジング２８ｂとを設け、これらの上に、それぞれ第２カード用導電性カバー２３ａと第３カード用導電性カバー２３ｂとを被せて取り付け、第１カード用導電性カバー２２の上で第２メモリカード２５ａと第３メモリカード２５ｂとを摺動しつつ挿抜するようにした。
しかし、これに限られるものではなく、カードの大きさが第１メモリカード２４＞第２メモリカード２４ａ＞第３メモリカード２４ｂのときには、図６に示すように、前記ハウジング２１は、第１コンタクト用ハウジング２７と、この第１コンタクト用ハウジングの１つの辺に連続する第２コンタクト用ハウジング２８ａと、この第２コンタクト用ハウジング２８ａの１つの辺に連続する第３コンタクト用ハウジング２８ｂを有し、前記第１コンタクト用ハウジング２７に、第１カード挿入口４５となる隙間を持って第１カード用導電性カバー２２を被せ、この第１カード用導電性カバー２２の外側面を前記第２メモリカード２５の摺動面とし、かつ、この摺動面に連続する前記第２コンタクト用ハウジング２８ａの上面に、第２カード挿入口５３ａとなる隙間を持って第２カード用導電性カバー２３ａを被せ、この第２カード用導電性カバー２３ａの外側面を前記第３メモリカード２５ｂの摺動面とし、かつ、この摺動面に連続する前記第３コンタクト用ハウジング２８ｂの上面に、第３カード挿入口５３ｂとなる隙間を持って第３カード用導電性カバー２３ｂを被せて３階建てとする。このような構成とすることにより、第１カード用導電性カバー２２の上で第２メモリカード２５ａを摺動しつつ挿抜するようにし、第２カード用導電性カバー２３ａの上で第３メモリカード２５ｂを摺動しつつ挿抜するようにしてもよい。
【図面の簡単な説明】
【００２８】
【図１】本発明によるメモリカード用複合コネクタの実施例１を示す斜視図である。
【図２】図１における縦断面図である。
【図３】本発明によるメモリカード用複合コネクタの実施例１を示す分解斜視図である。
【図４】本発明によるメモリカード用複合コネクタの実施例１における下面から見た分解斜視図である。
【図５】本発明によるメモリカード用複合コネクタの実施例２を示す斜視図である。
【図６】本発明によるメモリカード用複合コネクタの実施例３を示す斜視図である。
【図７】従来のメモリカード用複合コネクタの一例を示す斜視図である。
【図８】従来のメモリカード用複合コネクタの他の例を示す斜視図である。
【符号の説明】
【００２９】
１０…基板、１１…複合コネクタ、１２…ハウジング、１３…下段コネクタ、１４…上段コネクタ、１５…第１メモリカード、１６…第２メモリカード、１７…第１カード基板占有部、１８…第２カード基板占有部、２０…複合コネクタ、２１…ハウジング、２２…第１カード用導電性カバー、２３…第２カード用導電性カバー、２３ａ…第２カード用導電性カバー、２３ｂ…第３カード用導電性カバー、２４…第１メモリカード、２５…第２メモリカード、２５ａ…第２メモリカード、２５ｂ…第３メモリカード、２６…嵌合孔、２７…第１コンタクト用ハウジング、２７ａ…コンタクト取り付け板、２８…第２コンタクト用ハウジング、２９…係止溝、３０…第１コンタクト、３１…接触部、３２…端子部、３３…ばね部、３４…係止溝、３５…第２コンタクト、３６…接触部、３７…端子部、３８…ばね部、３９…天板部、４０…側板部、４１…背板部、４２…折り返し片、４３…抜き取り切り欠き、４４…押し出し切り欠き、４５…第１カード挿入口、４６…第１カード用矢印、４７…第２カード用矢印、４８…天板部、４９…側板部、５０…背板部、５１…コンタクト用窓、５２…折り返し片、５３…第２カード挿入口、５４…スイッチコンタクト、５５…スイッチコンタクト、５６…圧入溝、５７…圧入溝、５８…接触部、５９…接触部、６０…連結プレート、６１…連結溝、６２…連結溝、６３…連結溝、６４…第１カード電極、６５…第２カード電極、６６…段部。
【図１】
0005256842.tif 000002
【図２】
0005256842.tif 000003
【図３】
0005256842.tif 000004
【図４】
0005256842.tif 000005
【図５】
0005256842.tif 000006
【図６】
0005256842.tif 000007
【図７】
0005256842.tif 000008
【図８】
0005256842.tif 000009